(57)【要約】【課題】スミアが検出された画像信号に対して適正な補正を行うことを目的とする。【解決手段】撮像された画像に生じたスミアを補正することができる撮像装置であって、画像信号からスミア量を検出するスミア検出手段と、前記スミア検出手段により検出されたスミア量に基づいて、スミア補正を行うスミア補正手段と、前記スミア検出手段により検出されたスミア量に基づいて、画像処理を行う画像処理手段とを有することを特徴とする。【選択図】図１
2010011073.tif 000002
【特許請求の範囲】
【請求項１】
撮像された画像に生じたスミアを補正することができる撮像装置であって、
画像信号からスミア量を検出するスミア検出手段と、
前記スミア検出手段により検出されたスミア量に基づいて、スミア補正を行うスミア補正手段と、
前記スミア検出手段により検出されたスミア量に基づいて、画像処理を行う画像処理手段とを有することを特徴とする撮像装置。
【請求項２】
前記スミア補正手段は、前記スミア検出手段により検出されたスミア量に基づいて、スミア補正量を制限することを特徴とする請求項１に記載の撮像装置。
【請求項３】
前記画像処理手段は、前記スミア検出手段により検出されたスミア量に基づいて、ホワイトバランス処理を行うことを特徴とする請求項１又は２に記載の撮像装置。
【請求項４】
前記画像処理手段は、前記スミア検出手段により検出されたスミア量に基づいて、色ゲイン調整を行うことを特徴とする請求項１乃至３の何れか１項に記載の撮像装置。
【請求項５】
色温度検出を行う色温度検出手段を更に有し、
前記画像処理手段は、前記スミア検出手段により検出されたスミア量及び前記色温度検出手段により検出された色温度に基づいて、画像処理を行うことを特徴とする請求項１乃至４の何れか１項に記載の撮像装置。
【請求項６】
前記スミア検出手段は、スミアが発生している画像エリアを検出し、
前記スミア補正手段は、前記スミア検出手段により検出された画像エリア毎にスミア補正を行うことを特徴とする請求項１乃至５の何れか１項に記載の撮像装置。
【請求項７】
前記画像処理手段は、前記スミア検出手段により検出された画像エリア毎に、前記スミア検出手段により検出されたスミア量に基づいて、画像処理を行うことを特徴とする請求項６に記載の撮像装置。
【請求項８】
前記画像処理手段は、前記スミア補正手段がスミア量に基づいて設定したスミア補正量に応じて、画像処理を行うことを特徴とする請求項１に記載の撮像装置。
【請求項９】
撮像された画像に生じたスミアを補正することができる撮像装置の画像処理方法であって、
画像信号からスミア量を検出するスミア検出ステップと、
前記スミア検出ステップにより検出されたスミア量に基づいて、スミア補正を行うスミア補正ステップと、
前記スミア検出ステップにより検出されたスミア量に基づいて、画像処理を行う画像処理ステップとを有することを特徴とする画像処理方法。
【請求項１０】
撮像された画像に生じたスミアを補正することができる撮像装置を制御させるためのプログラムであって、
画像信号からスミア量を検出するスミア検出ステップと、
前記スミア検出ステップにより検出されたスミア量に基づいて、スミア補正を行うスミア補正ステップと、
前記スミア検出ステップにより検出されたスミア量に基づいて、画像処理を行う画像処理ステップとをコンピュータに実行させるためのプログラム。
【発明の詳細な説明】
【技術分野】
【０００１】
本発明は、撮像された画像に生じたスミアを補正することができる撮像装置、その画像処理方法及びプログラムに関するものである。
【背景技術】
【０００２】
高輝度被写体を撮像すると、撮像された画像の縦方向に帯状の明るい線が現れるスミアという現象が発生する場合がある。このスミアが発生すると、撮像された画像の画質が低下してしまう。従来から、このスミアの発生を防止するために、有効画素領域外の遮光された画素領域である垂直ＯＢ（オプティカルブラック）や光による感度を持たないダミー画素領域の出力レベルからスミア量を求め、画像信号から減算する手法が行われている。
【０００３】
ところが、最近ではＣＣＤセンサの高画素化によって、画素サイズが極小化する傾向にあると共に、画像の読み出し時間が増加している。このため、従来では問題とならなかった低輝度の被写体を撮像した場合でも、スミアが発生してしまう。また、太陽等の高輝度被写体を撮像した場合では、従来では考えられない強度のスミアが発生してしまう。
【０００４】
このような問題点に対して、特許文献１に記載された撮像信号処理装置は、スミア信号を減算せずに輝度ガンマ補正回路の利得と色差信号の利得とを制御して、スミアを補正している。
また、特許文献２に記載されたデジタルスチルカメラ装置は、弱いスミア信号を低減させるために複数の画像からスミア量を検出することにより、スミアを補正している。
【０００５】
【特許文献１】特開平０４−２８０５７９号公報
【特許文献２】特許第３７８８３９３号公報
【発明の開示】
【発明が解決しようとする課題】
【０００６】
しかしながら、特許文献１に記載された撮像信号処理装置は、大きなスミア信号の補正に対しては十分な補正効果を得ることができないという問題がある。
また、特許文献２に記載されたデジタルスチルカメラ装置では、動画像において発生したスミアや強いスミアを低減することができないという問題がある。
【０００７】
本発明は上述した問題点に鑑みてなされたものであり、スミアが検出された画像信号に対して画質を低下させることなく適正なスミア補正を行うことを目的とする。
【課題を解決するための手段】
【０００８】
本発明は、撮像された画像に生じたスミアを補正することができる撮像装置であって、画像信号からスミア量を検出するスミア検出手段と、前記スミア検出手段により検出されたスミア量に基づいて、スミア補正を行うスミア補正手段と、前記スミア検出手段により検出されたスミア量に基づいて、画像処理を行う画像処理手段とを有することを特徴とする。
本発明は、撮像された画像に生じたスミアを補正することができる撮像装置の画像処理方法であって、画像信号からスミア量を検出するスミア検出ステップと、前記スミア検出ステップにより検出されたスミア量に基づいて、スミア補正を行うスミア補正ステップと、前記スミア検出ステップにより検出されたスミア量に基づいて、画像処理を行う画像処理ステップとを有することを特徴とする。
本発明は、撮像された画像に生じたスミアを補正することができる撮像装置を制御させるためのプログラムであって、画像信号からスミア量を検出するスミア検出ステップと、前記スミア検出ステップにより検出されたスミア量に基づいて、スミア補正を行うスミア補正ステップと、前記スミア検出ステップにより検出されたスミア量に基づいて、画像処理を行う画像処理ステップとをコンピュータに実行させるためのプログラムである。
【発明の効果】
【０００９】
本発明によれば、スミアが検出された画像信号に対して画質を低下させることなく適正なスミア補正を行うことができる。例えば、検出されたスミア量に基づいて、スミア補正を行ったり画像処理を行ったりすることで、スミアが生じていない高画質な画像を提供することができる。
【発明を実施するための最良の形態】
【００１０】
以下、本発明の実施形態について図面を参照して説明する。
図１は、撮像装置１００の構成を示すブロック図である。
図１において、１０１は撮像レンズである。１０２はフォーカスレンズである。フォーカスレンズ１０２は光軸方向に位置を変えることで、焦点が調節される。１０３はＣＣＤセンサ等からなる撮像素子である。撮像素子１０３は撮像レンズ１０１を通過した被写体像の光束を光電変換し、電気信号に変換する。
【００１１】
１０４はＣＤＳ／ＡＤ部である。ＣＤＳ／ＡＤ部１０４は撮像素子１０３から出力されたアナログ信号にクランプ処理及びゲイン処理等を行い、デジタル信号に変換する。１１１はフォーカス駆動回路である。フォーカス駆動回路１１１はフォーカスレンズ１０２を制御する。
【００１２】
１０５はスミア検出回路である。スミア検出回路１０５はシステム制御部１１７の制御の下、ＣＤＳ／ＡＤ部１０４において変換されたデジタル信号（画像信号）からスミア信号を検出すると共にスミア信号におけるスミア量を検出する。スミア検出回路１０５は撮像素子１０３の光学的遮光画素であるＯＢ（オプティカルブラック）画素領域及び／又は光による感度を有さないダミー画素領域に基づいてスミア信号を検出する。スミア検出回路１０５は検出結果を後述するスミア補正回路１０６及びシステム制御部１１７に送信する。なお、スミア検出回路１０５は画素領域のエリア毎にスミア量を送信する。スミア信号は主に遮光された垂直転送画素に電荷が重畳されることにより生じるノイズであるため、スミア検出回路１０５はＯＢ画素領域やダミー画素領域から容易にスミア信号を検出することができる。
【００１３】
１０６はスミア補正回路である。スミア補正回路１０６はシステム制御部１１７の制御の下、検出されたスミア量に基づいてスミアを補正するためのスミア補正量を設定する。また、スミア補正回路１０６は設定したスミア補正量により画像信号のスミア補正を行う。
【００１４】
ここで、図２を参照してスミア補正回路１０６がスミア量に基づいて設定するスミア補正量について説明する。図２では、横軸が検出されたスミア量であり、縦軸が設定されるスミア補正量である。
図２に示す特性線３０１は従来のスミア量に基づいて設定するスミア補正量を示している。従来は特性線３０１に示すように、スミア量に比例してスミア補正量を設定している。従って、スミア量が大きくなるに従い、画像信号から大きなスミア補正量で減算してしまうために、スミアの発生が少ない画素では、大きなスミア補正量による過補正により画像信号を小さくなりすぎて、画質が低下してしまう。
【００１５】
一方、図２に示す特性線３０２は本実施形態に係るスミア量に基づいて設定するスミア補正量を示している。特性線３０２では、スミア量が極めて少ない範囲（図２に示す０からＴ１の範囲）の場合、スミア補正回路１０６はスミア補正量を下限値（ここでは、スミア補正量を０としている）に制限して設定する。また、スミア量が所定の量の範囲（図２に示すＴ１からＴ２の範囲）の場合、スミア補正回路１０６はスミア量に比例したスミア補正量を設定する。さらに、スミア量が所定値以上（図２に示すＴ２以上）の場合、スミア補正量を上限値（ここでは、スミア補正量をＲとしている）に制限して設定する。このように、スミア量が大きくても、スミア補正量を上限値で制限することに、過補正による画質の低下を防止することができる。
【００１６】
また、スミア補正回路１０６は有効画素領域内の任意の画像エリアでスミア補正することができる。すなわち、スミア補正回路１０６はスミア量に応じて画像エリア毎に適応的にスミア補正量を設定することができる。
ここで、図３を参照して、画像エリア毎にスミア量が異なる画像について説明する。図３は、高輝度の被写体を撮像した画像の一例を示す図である。図３に示す画像のうち、補正領域５０１は黒い被写体があるためにスミア信号が少ない領域である。また、補正領域５０２は青空に広く薄いスミア信号が重畳している領域である。また、補正領域５０３は太陽等の高輝度被写体があるために強いスミア信号が重畳している領域である。スミア補正回路１０６は画像エリア毎、すなわち補正領域５０１、補正領域５０２及び補正領域５０３毎にスミア補正量を設定してスミア補正を行う。
【００１７】
具体的には、スミア補正回路１０６はスミア信号が少ない補正領域５０１には、スミア補正量を図２に示す下限値に設定してスミア補正を行う。また、スミア信号が薄い補正領域５０２には、スミア量に比例したスミア補正量に設定してスミア補正を行う。また、スミア信号が強い補正領域５０３には、スミア補正量を図２に示す上限値に設定してスミア補正を行う。このように、検出されたスミア量に応じたスミア補正を行うことで、最適なスミア補正をすることができる。特に、スミア信号が強い場合にはスミア補正量を上限値に制限して設定するため、過補正により画像信号が小さくなることを防止することができる。また、画像エリア毎にスミア補正を行うことで、画像エリアに適したスミア補正を行うことができる。
【００１８】
図１のブロック図に戻り、１０８は信号処理回路である。信号処理回路１０８はスミア補正回路１０６によりスミア補正が行なわれた画像信号又はシステム制御部１１７からの画像信号に対してホワイトバランス処理、画素補間処理、色信号処理、輝度信号処理及び色ゲイン調整等の画像処理を行う。
ここで、上述したスミア補正回路１０６では過補正により画像信号が小さくなることを防止するために、スミア信号が強い場合にはスミア補正量を上限値に制限して設定した。したがって、スミア補正としては不十分であり、画像にスミアが残るおそれがある。そこで、信号処理回路１０８ではスミア量に基づいて、スミアを目立たなくする画像処理を行う。すなわち、スミアにはマゼンダの色成分を含んでいるために、信号処理回路１０８はスミア量に応じてマゼンダの色成分を緩和するようにホワイトバランス処理を行う。
【００１９】
ここで、図４を参照して、信号処理回路１０８がスミア量に基づいて画像処理（ホワイトバランス処理）を行う場合について説明する。図４では、横軸が検出されたスミア量であり、縦軸が設定されるホワイトバランス補正量である。図４では、スミア量に応じたホワイトバランス補正量の１次元ルックアップテーブルが示されている。なお、図４に示す横軸のＴ１及びＴ２は図２に示す横軸のＴ１及びＴ２に対応している。
【００２０】
図４に示す特性線４０１は外光の色温度が通常の場合のスミア量に応じたホワイトバランス補正量の１次元ルックアップテーブルを示している。特性線４０１に示すように、スミア量が所定の量の範囲（図４に示す０からＴ２近傍の範囲）の場合、信号処理回路１０８はホワイトバランス補正量を０に設定する。また、スミア量が所定量以上（図４に示すＴ２近傍より大きい範囲）の場合、信号処理回路１０８はスミア量に比例してグリーンのホワイトバランス補正量を設定、すなわち色ゲイン調整してホワイトバランス処理を行う。このように、スミア量に比例したグリーンのホワイトバランス補正量でホワイトバランス処理を行うことで、画質を低下させることなくスミアを補正することができる。
【００２１】
また、図４に示す特性線４０２は外光の色温度が快晴のときの日陰や曇り等の高色温度光源の場合のスミア量に応じたホワイトバランス補正量の１次元ルックアップテーブルを示している。高色温度光源の場合、青味の色成分が強くなる。したがって、特性線４０２では、青味の色成分を緩和させるためにマゼンタがホワイトバランス補正量に設定されるように、特性線４０１をマゼンタ側に略平行移動させた１次元ルックアップテーブルとしている。特性線４０２に示すように、スミア量が所定の量の範囲（図４に示す０からＴ２近傍の範囲）の場合、信号処理回路１０８はマゼンタ側の所定値にホワイトバランス補正量を設定して、ホワイトバランス処理を行う。また、スミア量が所定量以上（図４に示すＴ２近傍より大きい範囲）の場合、信号処理回路１０８はスミア量に比例してマゼンタ又はグリーンのホワイトバランス補正量を設定して、ホワイトバランス処理を行う。
【００２２】
外光の色温度はシステム制御部１１７が信号処理回路１０８において画像処理される画像信号の画像情報により算出する。信号処理回路１０８は算出された外光の色温度の結果に応じ、通常の色温度の場合は特性線４０１を用いて画像処理を行い、高色温度光源の場合は特性線４０２を用いて画像処理を行う。
なお、信号処理回路１０８ではスミア補正回路１０６における処理と同様、図３で上述したようにスミア量が異なる画像エリア毎に画像処理を行う。このように、画像エリア毎に画像処理を行うことで、画像エリアに適した画像処理を行うことができる。
【００２３】
図１のブロック図に戻り、１０７は画像メモリである。システム制御部１１７は信号処理回路１０８において画像処理された画像信号を画像データとして画像メモリ１０７に記憶する。この画像メモリ１０７は撮像した所定枚数の静止画像や所定時間分の動画像を格納するのに十分に高速で、大量の記憶量を備えている。なお、画像メモリ１０７はシステム制御部１１７の作業領域としても使用される。
【００２４】
１０９は記録回路である。記録回路１０９は後述する記憶媒体１１０とのインタフェースである。記録回路１０９は記憶媒体１１０との間で画像データや画像データに付属する管理情報を送受信する。
１１０は取り外し可能なメモリカードやハードディスク等の記憶媒体である。記録回路１０９は画像メモリ１０７で記憶されている画像データを記憶媒体１１０に記録する。
【００２５】
１１４はＬＣＤ等の表示装置である。表示装置１１４には撮像した画像データが表示される。また、表示装置１１４に撮像した画像データを逐次表示することにより電子ファインダとしても使用することができる。
１１３は表示回路である。表示回路１１３は表示装置１１４に撮像した画像データ等を表示する制御を行う。また、表示回路１１３はシステム制御部１１７の制御の下、プログラムの実行に基づいて表示装置１１４に対する表示のオン、オフ、測距枠表示、合焦表示及び非合焦の警告表示等を行う。
【００２６】
１１９はＲＡＭである。ＲＡＭ１１９には表示装置１１４に表示されるデータが記憶される。表示回路１１３はシステム制御部１１７の制御の下、ＲＡＭ１１９に記憶されたデータを表示装置１１４に表示する。１１８はＲＯＭである。なお、ＲＯＭ１１８及びＲＡＭ１１９にはシステム制御部１１７の動作用の定数、変数及びプログラム等が記憶されている。
【００２７】
１１５はスイッチ（ＳＷ１）である。１１６はスイッチ（ＳＷ２）である。ユーザはスイッチ１１５及びスイッチ１１６を介して、静止画記録及び動画記録の開始の操作をしたり、停止等の操作をしたりすることができる。
１１７はシステム制御部である。システム制御部１１７は撮像装置１００全体を制御する。また、システム制御部１１７は撮像レンズ１０１内の絞り及びシャッターを制御することにより自動露出制御（ＡＥ）を行ったり、フォーカス駆動回路１１１を制御することによりオートフォーカス（ＡＦ）を行ったりする。
【００２８】
次に、図５に示すフローチャートを参照して、撮像装置１００の処理動作について説明する。以下の各ステップでは、システム制御部１１７以外が主体となって処理を行う場合、その主体はシステム制御部１１７の制御の下で処理を行う。
まず、ステップＳ１において、システム制御部１１７はＯＢ領域からの信号出力値を所定の値に設定する（黒信号レベル設定）。例えば、最大出力１４ＢｉｔのＣＤＳ／ＡＤを用いる場合、最大出力信号は１６３８３ＬＳＢとなる。一例として、システム制御部１１７はＯＢ画素出力値とダミー画素出力値とを最大出力値の５％（８１９ＬＳＢ）となるようにＣＤＳ／ＡＤを調整する。ＯＢ画素出力値とダミー画素出力値とは、スミア等のノイズ信号が重畳しなければ常に調整された値が出力される。
【００２９】
次に、ステップＳ２において、スミア検出回路１０５はスミア信号を検出する。スミア信号はＯＢ画素出力値とダミー画素出力値とに重畳されたノイズ信号であることから、スミア検出回路１０５はＯＢ信号、ダミー信号から調整した値を減算することで、スミア量を検出する。この処理はスミア検出手段の処理の一例に対応する。なお、本実施形態では、スミア検出回路１０５は１〜１５５６４ＬＳＢの範囲のスミア量を検出可能である。なお、スミア検出回路１０５は検出されたスミア量に応じて画像エリアを分割する処理を行う。以下のステップでは、分割された画像エリア毎に処理が行なわれる。
【００３０】
次に、ステップＳ３において、スミア補正回路１０６はスミア検出回路１０５において検出されたスミア量が第一の所定範囲内であるか否かを判定する。例えば図２に示す特性線３０２の場合、スミア補正回路１０６はスミア量が図２に示す０からＴ１の範囲内であるか否かを判定する。このステップＳ３の判定によって、後述するホワイトバランス処理や色処理パラメータ等、画質に関するパラメータを補正するか否かが分かれる。スミア量が第一の所定範囲内である場合、システム制御部１１７はステップＳ４に処理を進める。スミア量が第一の所定範囲内ではない場合、システム制御部１１７はステップＳ６に処理を進める。
【００３１】
ステップＳ４において、スミア補正回路１０６はスミア補正量を所定の下限値に設定する（下限値クリップ処理）。続いて、スミア補正回路１０６は設定したスミア補正量によりスミア補正を行う。例えば図２に示す特性線３０２の場合、スミア補正量は０であるためスミア補正回路１０６はスミア補正を行わない。
【００３２】
次に、ステップＳ５において、信号処理回路１０８は所定の下限値でスミア補正された画像信号に対して通常の画像処理を行う（通常画像処理）。このとき、システム制御部１１７では信号処理回路１０８で処理される画像信号の外光の色温度を検出する。この処理は色温度検出手段の一例に対応する。
信号処理回路１０８は検出された色温度からホワイトバランス処理を行うときのホワイトバランス補正量等を設定する。例えば、通常の光源であった場合、信号処理回路１０８は図４に示す特性線４０１（スミア量が０からＴ１の範囲）に基づき、ホワイトバランス補正量を０に設定する。また、高色温度光源であった場合、信号処理回路１０８は図４に示す特性線４０２に基づき、マゼンタが強くなるようにホワイトバランス補正量を設定してホワイトバランス処理を行う。また、信号処理回路１０８は画素補間処理等の通常の画像処理を行う。
【００３３】
ステップＳ６において、スミア補正回路１０６はスミア検出回路１０５において検出されたスミア量から、スミア補正を完全に行うことができるか否かを判定する。ここでは、スミア補正回路１０６はスミア量が第二の所定範囲内であるか否かを判定する。例えば、図２の示す特性線３０２の場合、スミア補正回路１０６はスミア量が図２に示すＴ１からＴ２の範囲内であるか否かを判定する。スミア量が第二の所定範囲内である場合、ステップＳ７に処理を進める。スミア量が第二の所定範囲内でない場合、ステップＳ８に処理を進める。
【００３４】
ステップＳ７において、スミア補正回路１０６はスミア量に応じたスミア補正量を画像信号から減算してスミア補正を行う。図２に示す特性線３０２の場合、スミア量に比例したスミア補正量によりスミア補正を行う。続いて、信号処理回路１０８はステップＳ５と同様にスミア補正が行われた画像信号に対して画像処理を行う。
【００３５】
ステップＳ８において、スミア補正回路１０６はスミア補正量を所定の上限値に設定する（上限値クリップ処理）。続いて、スミア補正回路１０６は設定したスミア補正量によりスミア補正を行う。例えば図２に示す特性線３０２の場合、スミア補正量の上限値はＲであるため、スミア補正回路１０６はスミア補正量をＲにしてスミア補正を行う。
【００３６】
次に、ステップＳ９において、信号処理回路１０８は所定の上限値でスミア補正された画像信号に対して画像処理を行う（適応信号処理）。このとき、システム制御部１１７では、信号処理回路１０８で処理される画像信号の外光の色温度を検出する。この処理は色温度検出手段の一例に対応する。
信号処理回路１０８は検出された色温度からホワイトバランス処理を行うときのホワイトバランス補正量等を設定する。例えば、通常の光源であった場合、信号処理回路１０８は図４に示す特性線４０１（スミア量がＴ２より大きい範囲）に基づき、検出されたスミア量に応じてグリーンが強くなるようにホワイトバランス補正量を設定してホワイトバランス処理を行う。また、高色温度光源であった場合、信号処理回路１０８は図４に示す特性線４０２に基づき、検出されたスミア量に比例してマゼンタが弱くなるようにホワイトバランス補正量を設定してホワイトバランス処理を行う。また、所定のスミア量を超えた場合はスミア量に比例してグリーンが強くなるようにホワイトバランス補正量を設定してホワイトバランス処理を行う。
さらに、信号処理回路１０８は検出されたスミア量に応じて、色信号処理等の画質に関するパラメータを最適な値に設定して、画像処理を行う。
【００３７】
同様に、ステップＳ２により分割した画像エリア毎に、上述したステップＳ３からステップＳ９の処理を行う。このように、分割した画像エリア毎にスミア補正や画像処理を行うことにより、各画像エリア毎に最適なスミア補正及び画像処理を行うことができる。
【００３８】
上述したように本実施形態によれば、検出したスミア量が所定値より大きい場合には、スミア補正量を上限値に設定してスミア補正を行うことで、過補正により画像信号が小さくなりすぎることを防止することができる。一方、上限値を設定することによりスミア補正が十分に行えないとしても、検出されたスミア量に基づいてホワイトバランス処理を行いスミアの補正を補うために、スミアを目立たないようにすることができる。なお、本実施形態では、検出したスミア量に基づいて、スミア補正及び画像処理を行う場合についてのみ説明したが、この場合に限られない。例えば、信号処理回路１０８はスミア補正量に基づいて画像処理を行ってもよい。
【００３９】
上述した本発明の実施形態における撮像装置を構成する各手段、又は撮像装置の画像処理方法の各ステップは、コンピュータのＲＡＭやＲＯＭ等に記憶されたプログラムが動作することによっても実現できる。このプログラム及びこのプログラムを記録したコンピュータ読み取り可能な記録媒体は本発明に含まれる。
【００４０】
また、本発明は、例えば、システム、装置、方法、プログラムもしくは記録媒体等としての実施形態も可能であり、具体的には、複数の機器からなるシステムに適用してもよい。
【００４１】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００４２】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００４３】
また、コンピュータが、読み出したプログラムを実行することによって、一前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００４４】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００４５】
【図１】撮像装置の構成を示すブロック図である。
【図２】スミア量に基づいて補正するスミア補正量について説明するための図である。
【図３】画像エリア毎にスミア量が異なる現象について説明するための図である。
【図４】外光の色温度に基づいてホワイトバランス補正を行う場合について説明するための図である。
【図５】撮像装置の処理動作を示すフローチャートである。
【符号の説明】
【００４６】
１００  撮像装置
１０１  撮影レンズ
１０２  フォーカスレンズ
１０３  撮像素子
１０４  ＣＤＳ／ＡＤ
１０５  スミア検出回路
１０６  スミア補正回路
１０７  画像メモリ
１０８  信号処理回路
１０９  記録回路
１１０  記録媒体
１１２  撮像部駆動回路
１１３  表示回路
１１４  表示装置
１１５  ＳＷ１
１１６  ＳＷ２
１１７  システム制御部
１１８  ＲＯＭ
１１９  ＲＡＭ
【図１】
2010011073.tif 000003
【図２】
2010011073.tif 000004
【図３】
2010011073.tif 000005
【図４】
2010011073.tif 000006
【図５】
2010011073.tif 000007